Podtech/llm-jp-corpus-v4-ja_patent huggingface dataset:
【手続補正書】
【提出日】平成30年3月28日(2018.3.28)
【手続補正１】
【補正対象書類名】特許請求の範囲
【補正対象項目名】全文
【補正方法】変更
【補正の内容】
【特許請求の範囲】
【請求項１】
患者の腎臓に配置されるように構成された腎セクション、前記腎セクションに接続されかつ前記患者の尿管に配置されるように構成された尿管セクション、および本体部の近位端において前記尿管セクションに接続された近位セクションを有する、本体部と、
ステントに接続された糸を含む尾部と、
を含む、尿管ステントであって、
前記近位セクションは第１の可撓性を備え、該第１の可撓性は前記ステントの前記尿管セクションの第２の可撓性を上回り、
前記尿管セクションに沿って縦溝が形成され、前記尾部が前記尿管セクションに沿って形成された前記縦溝内に挿入され、前記尾部が前記尿管セクションから前記近位セクションを越える位置まで延在する、尿管ステント。
【請求項２】
前記尿管セクションが１つ以上の貫通開口部を含み、前記尾部が前記貫通開口部の１つにおいて前記ステントの前記本体部に固定される、請求項１に記載の尿管ステント。
【請求項３】
前記尾部が結び目、接着接合、又は溶接によって前記ステントの前記本体部に固定される、請求項１に記載の尿管ステント。
【請求項４】
前記尾部が前記貫通開口部の２つを通過する、請求項２に記載の尿管ステント。
【請求項５】
前記縦溝が前記尿管セクションおよび前記近位セクションに沿って形成され、前記尾部が前記尿管セクションおよび前記近位セクションに沿って前記縦溝の中に挿入される、請求項１に記載の尿管ステント。
【請求項６】
前記尿管セクションが前記ステントの前記本体部の内部に配置された複数の溝を含む、請求項１に記載の尿管ステント。
【請求項７】
患者の腎臓に配置されるように構成された腎セクション、前記腎セクションに接続されかつ前記患者の尿管に配置されるように構成された尿管セクション、および前記尿管セクションに接続されかつ本体部の近位端に配置される近位セクションを有する、本体部と、
ステントに接続された糸を含む尾部と、
を含む、尿管ステントであって、
前記近位セクションは第１の可撓性を備え、該第１の可撓性は前記ステントの前記尿管セクションの第２の可撓性を上回り、
前記近位セクションに沿って縦溝が形成され、前記尾部が前記近位セクションに形成された前記縦溝内に挿入され、前記尾部が前記近位セクションを越えて延在する、尿管ステント。
【請求項８】
前記近位セクションが１つ以上の貫通開口部を含み、前記尾部が前記貫通開口部の１つを介して固定される、請求項７に記載の尿管ステント。
【請求項９】
前記尾部が結び目、接着接合、又は溶接によって前記本体部に固定される、請求項７に記載の尿管ステント。
【請求項１０】
前記近位セクションがいくつかの舌部を含み、各舌部は１つ以上の開口部を有し、前記１つ以上の開口部が前記ステントの前記尾部が通過できるようなサイズにされる、請求項７に記載の尿管ステント。
【請求項１１】
前記本体部がチューブ状の本体部であり、前記縦溝が前記チューブ状の本体部の内側壁に形成される、請求項１に記載の尿管ステント。
【請求項１２】
前記本体部がチューブ状の本体部であり、前記縦溝が前記チューブ状の本体部の外側壁に形成される、請求項１に記載の尿管ステント。
【手続補正書】
【提出日】平成30年1月23日(2018.1.23)
【手続補正１】
【補正対象書類名】特許請求の範囲
【補正対象項目名】全文
【補正方法】変更
【補正の内容】
【特許請求の範囲】
【請求項１】
患者、例えば、うっ血性心不全により水分過剰の患者の限外濾過のための装置であって、
４つのインレット／アウトレット（２５ａ、２５ｂ、２５ｃ、２５ｄ）を有するカセット（２５）と、
前記患者（１）の腹膜腔（２）へのアクセスのための患者ライン（３）に接続されることを目的とする患者コネクタ（２１）を前記カセットの第１のインレット（２５ａ）に接続するための患者チューブ（２２）であって、前記カセット（２５）と腹膜腔（２）との間の腹腔液の注入および排出のためのフロー・ポンプ（１５）を有する、前記患者チューブ（２２）と、
間欠弁（１８）を有し、間欠バッグ（３３）を前記カセットの第２のインレット（２５ｂ）へ接続するための間欠チューブ（３４）と、
ドレイン弁（１７）を有し、ドレイン・バッグ（３０）を前記カセットの第３のインレット（２５ｃ）に接続するためのドレイン・チューブ（３１）と、
前記カセットにグルコースを加えるためのグルコース・ポンプ（１５）を有し、高濃度のグルコースを含むグルコース・バッグを前記カセットの第４のインレット（２５ｄ）に接続するためのグルコース・チューブ（２７）を有し、
浸透剤の濃度を腹膜腔において実質的に一定に保持するためにグルコースが補充される装置。
【請求項２】
前記カセット（２５）の前記第１（２５ａ）および第２（２５ｂ）のインレットは前記カセットの一方の側に配置され、前記カセット（２５）の前記第３（２５ｃ）および第４（２５ｄ）のインレットは前記カセットの他方の側に配置される請求項１に記載の装置。
【請求項３】
前記間欠バッグは、５００ｍｌ未満、４００ｍｌ未満、３００ｍｌ未満又は２００ｍｌ未満であり、例えば、１６０ｍｌである、請求項１又は２に記載の装置。
【請求項４】
前記カセットに注入される、或いは、前記カセットから排出される腹腔液のグルコース濃度を測定するためのグルコース・メータ（８８）を更に有する、請求項１〜３の何れか１つに記載の装置。
【請求項５】
前記グルコース・メータは、前記ドレイン・チューブ（３１）内で前記ドレイン弁（１７）の下流側に設けられ、これによって、グルコース濃度はドレイン弁が開いている時にのみ測定される請求項４に記載の装置。
【請求項６】
前記患者コネクタ（２１）に隣接して設けられた腹腔液の圧力測定のための圧力計（９１）を更に有する、請求項１〜５の何れか１つに記載の装置。
【請求項７】
前記カセット（２５、７５）内の圧力測定のために設けられた圧力計（３７、８７）を更に有する、請求項１〜６の何れか１つに記載の装置。
【請求項８】
前記間欠バッグは、患者（１）の腹膜腔（２）へのアクセスのための第２の患者ライン（５３ｂ）に接続されることを目的とする第２の患者コネクタ（８５）によって置き換えられている、請求項１〜７の何れか１つに記載の装置。
【請求項９】
前記患者チューブ（２２）、前記患者コネクタ（２１）、前記患者ライン（３）、前記第１のインレット（２５ａ）、前記カセット、前記間欠チューブ（３４）、前記間欠バッグ（３３）、および、前記カセットの前記第２のインレット（２５ｂ）はすべて、如何なる吸着性の材料または透析器も無しで設けられる、請求項１〜８の何れか１つに記載の装置。
【請求項１０】
前記ドレイン・チューブ（３１）は、腹膜腔の排出の間にアルブミンがドレイン・バッグに移るのを防ぐためのアルブミン・フィルタ（９２）を有する、請求項１〜９の何れか１つに記載の装置。
【請求項１１】
前記患者チューブ（８２）に設けられたフロー・メータ（９０）を更に有する、請求項１〜１０の何れか１つに記載の装置。
【請求項１２】
うっ血性心不全による水分過剰の治療のための、腹膜限外濾過による、腹腔液の使用であって、
腹腔液のグルコース濃度を実質的に一定に維持するために、腹腔液は患者の腹膜腔から排出され、グルコースを補充され、腹膜腔に戻される、腹腔液の使用。
【手続補正書】
【提出日】平成30年2月8日(2018.2.8)
【手続補正１】
【補正対象書類名】特許請求の範囲
【補正対象項目名】全文
【補正方法】変更
【補正の内容】
【特許請求の範囲】
【請求項１】
設定距離の骨短縮切骨術において使用するのに適するセットであって、該セットが、
遠位区分と近位区分とを持つインプラントであって、前記遠位区分が少なくとも２つの遠位ねじ切り穴を備え、かつ前記近位区分が少なくとも２つの近位ねじ切り穴を備える、インプラントと、
第１区分と第２区分と第３区分とを順次備える付属品であって、前記第１区分が第１ねじ切り穴を備え、前記第３区分が第２ねじ切り穴を備え、かつ、前記第２区分が、前記設定距離の前記骨短縮切骨術を２つのガイドを介して実施できるように各々鋸刃を案内するように作られた２つのガイドを備え、前記第１ねじ切り穴及び前記第２ねじ切り穴がそれぞれ前記少なくとも２つの遠位ねじ切り穴及び前記少なくとも２つの近位ねじ切り穴に対応し、前記第１ねじ切り穴と前記第２ねじ切り穴との間の中間間隔が、前記設定距離と前記遠位ねじ切り穴と前記近位ねじ切り穴との間の対応する中間間隔の合計に等しく、かつ前記第１区分と前記第３区分が少なくとも前記ねじ切り穴の位置においてそれぞれ前記遠位区分及び近位区分と同じ形状を有する、付属品と、を備える、セット。
【請求項２】
前記第１区分全体が前記遠位区分と同じ形状を有し、かつ前記第３区分全体が前記近位区分と同じ形状を有する、請求項１に記載のセット。
【請求項３】
「同じ形状を有する」とは、更に実質的に同じ厚みを持つことを示す、請求項１又は２に記載のセット。
【請求項４】
「同じ形状を持つ」とは、更に同じ形状の外面を持つことを示す、請求項１〜３のいずれか１項に記載のセット。
【請求項５】
「対応する」とは、同じ相互に対する位置を有することを示す、請求項１〜４のいずれか１項に記載のセット。
【請求項６】
各ガイドが平行に延びる２つの表面によって実質的に画定される溝として形成され、前記鋸刃が前記ガイドによって鋸引き位置において鋸引き方向に案内されるように移動できる、請求項１〜５のいずれか１項に記載のセット。
【請求項７】
前記遠位区分及び前記近位区分が、キルシュナーワイヤ用の開口部を備え、かつ前記第１区分及び前記第３区分が各々対応する開口部を備える、請求項１〜６のいずれか１項に記載のセット。
【請求項８】
前記セットが第１設定距離の骨短縮切骨術に使用するのに適しかつ第２設定距離の骨短縮切骨術に使用するのに適し、前記セットが前記付属品と同様に形成された別の付属品を備え、かつ前記付属品が前記第１設定距離に適合し、前記別の付属品が前記第２設定距離に適合する、請求項１〜７のいずれか１項に記載のセット。
【手続補正書】
【提出日】平成30年5月16日(2018.5.16)
【手続補正１】
【補正対象書類名】特許請求の範囲
【補正対象項目名】全文
【補正方法】変更
【補正の内容】
【特許請求の範囲】
【請求項１】
対象のバイタルサインを決定するデバイスであって、
第１の波長範囲の光を放出するよう構成され、前記対象から離れている第１の光源と、
第２の異なる波長範囲の光を放出するよう構成され、前記対象に動作可能に接続される第２の光源と、
対象の関心領域から前記第１及び第２の異なる波長範囲における光のコンタクトレスの検出に関する検出ユニットであって、前記検出ユニットが、前記関心領域から反射される光から前記第１の波長範囲における第１の光部分を検出し、前記関心領域を通り透過される光から前記第２の波長範囲における第２の光部分を検出するよう構成され、前記検出ユニットは、少なくとも時間的に同時である照射に基づき、前記第１の光部分及び前記第２の光部分を同時に検出するよう構成される、検出ユニットと、
１つ又は複数のコンピュータプロセッサであって、
前記少なくとも２つの異なる波長範囲に関する検出された光から、プレチスモグラフィＰＰＧ信号を得て、
前記第１及び第２の異なる波長範囲に関する前記ＰＰＧ信号からバイタルサインを得るようプログラムされる、１つ又は複数のコンピュータプロセッサとを有する、デバイス。
【請求項２】
前記１つ又は複数のコンピュータプロセッサが、前記第１の光源、前記第２の光源及び／又は前記検出ユニットをこれらの２つ以上を互いに同期化させるよう制御するよう更にプログラムされる、請求項１に記載のデバイス。
【請求項３】
前記１つ又は複数のコンピュータプロセッサが、前記第１の波長範囲における光を放出するよう前記第１の光源を制御し、及び／又は前記第２の波長範囲における光を放出するよう前記第２の光源を制御するよう更にプログラムされる、請求項１に記載のデバイス。
【請求項４】
前記１つ又は複数のコンピュータプロセッサが、赤又は赤外線波長範囲において排他的に又は交互に光を放出するよう前記第２の光源を制御するよう更にプログラムされる、請求項３に記載のデバイス。
【請求項５】
前記検出ユニットが、
前記検出された光から前記第１及び第２の波長範囲の光をフィルタリングする１つ又は複数の光学フィルタと、
前記第１及び第２の光源のそれぞれから照らされる光を検出するようプログラムされる少なくとも１つの電子プロセッサとを有する、請求項１に記載のデバイス。
【請求項６】
前記１つ又は複数のコンピュータプロセッサが、前記第２の波長範囲における光を放出するよう前記第２の光源を制御するよう更にプログラムされる、請求項１に記載のデバイス。
【請求項７】
前記１つ又は複数のコンピュータプロセッサが、少なくとも２つの異なる波長範囲に関して前記ＰＰＧ信号を組み合わせて、前記組み合わせられたＰＰＧ信号から前記バイタルサインを得るよう更にプログラムされる、請求項１に記載のデバイス。
【請求項８】
前記検出ユニットが、前記関心領域の一セットの画像フレームを得るよう構成されるカメラを含む、請求項１に記載のデバイス。
【請求項９】
前記１つ又は複数のコンピュータプロセッサが、赤及び赤外波長範囲における光を連続的に放出するよう前記第２の光源を制御するよう更にプログラムされる、請求項６に記載のデバイス。
【請求項１０】
前記第２の光源が、透過された光を得るために前記関心領域を照射し、対象の関心領域を通り光を透過させるよう構成され、
前記光の透過及び反射された光を得るための前記光による前記対象の照射が、少なくとも時間的に同時である、請求項１に記載のデバイス。
【請求項１１】
前記第１の光源が、前記関心領域から反射される光を得るため、前記第１の波長範囲における光で前記関心領域を照射するよう構成される、請求項１０に記載のデバイス。
【請求項１２】
前記第２の光源が、耳の後、又は、人の手一方の側に配置されるよう構成される、請求項１０に記載のデバイス。
【請求項１３】
マットレスを持つデバイスを更に有し、前記第２の光源が、前記マットレスに配置される複数の光要素を有する、請求項１０に記載のデバイス。
【請求項１４】
前記光源が、前記マットレスに配置される複数のＬＥＤを有する、請求項１３に記載のデバイス。
【請求項１５】
対象のバイタルサインを決定する方法において、
前記対象から離れた第１の光源を用いて、第１の波長範囲の光を放出するステップと、
前記対象に動作可能に接続される第２の光源を用いて、第２の波長範囲の光を放出するステップと、
検出ユニットを用いて、対象の関心領域から前記第１及び第２の異なる波長範囲における光をコンタクトレスに検出するステップであって、前記関心領域から反射される光から前記第１の波長範囲における第１の光部分が検出され、前記関心領域を通り透過される光から前記第２の波長範囲における第２の光部分が検出され、前記第１の光部分及び前記第２の光部分が、少なくとも時間的に同時である照射に基づき、同時に検出される、ステップと、
処理ユニットを用いて、前記少なくとも２つの異なる波長範囲に関する検出された光から、プレチスモグラフィＰＰＧ信号を得るステップと、
分析ユニットを用いて、前記第１及び第２の異なる波長範囲に関する前記ＰＰＧ信号からバイタルサインを得るステップとを有する、方法。
【請求項１６】
新生児ケアユニットにおける新生児のバイタルサインを決定する方法において、
前記新生児から離れた第１の光源を用いて、第１の波長範囲の光を放出するステップと、
前記新生児ケアユニットの下部層に配置される第２の光源を用いて、第２の波長範囲の光を放出するステップと、
検出ユニットを用いて、前記新生児の関心領域から前記第１及び第２の異なる波長範囲における光をコンタクトレスに検出するステップであって、前記関心領域から反射される光から前記第１の波長範囲における第１の光部分が検出され、前記関心領域を通り透過される光から前記第２の波長範囲における第２の光部分が検出され、前記第１の光部分及び前記第２の光部分が、少なくとも時間的に同時である照射に基づき、同時に検出される、ステップと、
処理ユニットを用いて、前記少なくとも２つの異なる波長範囲に関する検出された光から、プレチスモグラフィＰＰＧ信号を得るステップと、
分析ユニットを用いて、少なくとも２つの異なる波長範囲に関する前記ＰＰＧ信号からバイタルサインを得るステップとを有する、方法。
【請求項１７】
前記第１及び第２の光源を対象の体の部分に構成するためのホルダを有する、請求項１に記載のデバイス。
【請求項１８】
前記１つ又は複数のコンピュータプロセッサが、制御情報を前記検出ユニットに無線で送信し、前記検出ユニットから前記検出された光信号を受信するようプログラムされる、請求項１７に記載のデバイス。
【請求項１９】
前記１つ又は複数のコンピュータプロセッサが、前記得られたバイタルサインを表示するよう表示デバイスを制御するよう更にプログラムされる、請求項１に記載のデバイス。
【請求項２０】
前記第１の光源が、赤波長範囲における光を放出するよう構成され、
前記第２の光源は、赤外波長範囲における光を放出するよう構成される、請求項１に記載のデバイス。
【手続補正書】
【提出日】平成30年4月10日(2018.4.10)
【手続補正１】
【補正対象書類名】特許請求の範囲
【補正対象項目名】全文
【補正方法】変更
【補正の内容】
【特許請求の範囲】
【請求項１】
約２０％〜約６０％の粉末；
約０．５％〜約５０％のでんぷん；及び
約２０％〜約６０％の水；
を含む生の生地を提供し、
前記生の生地を加熱−プレスして、加熱−プレス生地シートを形成し、
前記加熱−プレス生地シートを調理して、約３％未満の水分含量を有する食品を形成することを含む、食品の製造方法。
【請求項２】
前記粉末が、トウモロコシマサ粉、トウモロコシ粉、穀粉、全粒粉、ふすま粉、米粉及び小麦粉の一つ以上を含み、好ましくは前記粉末がトウモロコシマサ粉を含む請求項１に記載の方法。
【請求項３】
前記粉末が、約２５％〜約４５％範囲の量で生地中に存在する請求項１又は２に記載の方法。
【請求項４】
前記生地中の粉末の少なくとも一部は、ゼラチン化されない請求項１〜３のいずれか１項に記載の方法。
【請求項５】
前記生の生地中のでんぷんが、天然でんぷん、加工でんぷん、アルファー化でんぷん、冷水膨潤性でんぷん、クックアップでんぷん及びインスタントでんぷんの一つ以上を含む請求項１〜４のいずれか１項に記載の方法。
【請求項６】
前記でんぷんが、約２％〜約１５％範囲で生の生地中に存在する請求項１〜５のいずれか１項に記載の方法。
【請求項７】
前記生の生地が、約０．０１％〜約２％の膨張剤を更に含み、場合によって、前記膨張剤が、重炭酸ナトリウム（ベーキングソーダ）、炭酸ナトリウム、ベーキングパウダー、炭酸アンモニウム、重炭酸アンモニウム、酵母、パン酵母、活性乾燥酵母、ベーキングソーダ、酒石酸水素カリウム（酒石英）、炭酸カリウム、重炭酸カリウム、又は炭酸二カリウムを含む請求項１〜６のいずれか１項に記載の方法。
【請求項８】
前記生の生地が、約１％〜約５％の粒子状材料を含み、前記粒子状材料のサイズが、約３００マイクロメーター〜約１８００マイクロメーターである請求項１〜７のいずれか１項に記載の方法。
【請求項９】
前記生の生地が、約０．５ｍｍ〜約３ｍｍ範囲の厚さを有するシートとして提供される請求項１〜８のいずれか１項に記載の方法。
【請求項１０】
前記加熱プレスが、約２５０°Ｆ〜５００°Ｆ範囲の温度で行われる請求項１〜９のいずれか１項に記載の方法。
【請求項１１】
前記加熱プレスが、一つ以上の加熱ローラーを介して生の生地を供給することによって、又は、二つの加熱されたプレート間に生の生地をプレスすることによって、行われる請求項１〜１０のいずれか１項に記載の方法。
【請求項１２】
前記加熱プレスにおいて、前記生地を、約０．１〜約１０秒の範囲の時間で加熱プレスする請求項１〜１１のいずれか１項に記載の方法。
【請求項１３】
前記加熱プレスが、生地シートの厚さを、２０％を超えて減少しない請求項１〜１２のいずれか１項に記載の方法。
【請求項１４】
前記加熱プレス生地シートが、調理される前に冷却される請求項１〜１３のいずれか１項に記載の方法。
【請求項１５】
請求項１〜１４のいずれか１項に記載の方法により製造された食品。
【手続補正書】
【提出日】平成30年4月3日(2018.4.3)
【手続補正１】
【補正対象書類名】特許請求の範囲
【補正対象項目名】全文
【補正方法】変更
【補正の内容】
【特許請求の範囲】
【請求項１】
（ａ）ポリ核酸を容器中に嵌入されたフィルターに吸着すること；
（ｂ）フィルターを第１の非混和性流体洗浄液で洗浄すること；及び
（ｃ）ポリ核酸を、（ｉ）水ベースの溶出液及び（ｉｉ）非混和性流体押圧液を用いてフィルターから溶出すること；
を含み、精製ポリ核酸の溶液が得られる、ポリ核酸の精製方法。
【請求項２】
更に、工程（ａ）の後及び工程（ｂ）の前に、フィルターをアルコールベースの洗浄液で洗浄することを含んでなる、請求項１に記載の方法。
【請求項３】
更に、工程（ａ）の後及び工程（ｂ）の前に、フィルターを第２の非混和性流体洗浄液で洗浄し、次いでフィルターをアルコールベースの洗浄液で洗浄することを含んでなる、請求項１に記載の方法。
【請求項４】
ポリ核酸がＤＮＡ及び／又はＲＮＡである、請求項１〜３のいずれか１項に記載の方法。
【請求項５】
フィルターがガラスマイクロファイバーフィルターである、請求項１に記載の方法。
【請求項６】
第１の非混和性流体洗浄液が、（ｉ）水と接触したときに、水から実質的に分離相を形成し、（ｉｉ）水の比重より小さい比重を有する流体を含む、請求項２に記載の方法。
【請求項７】
第１の非混和性流体洗浄液の比重が、前記方法で使用されるアルコールベースの洗浄液の比重よりも小さい、請求項６に記載の方法。
【請求項８】
アルコールベースの洗浄液がエタノール及び水を含む、請求項２に記載の方法。
【請求項９】
アルコールベースの洗浄液が、更に塩及び／又は緩衝液を含む、請求項８に記載の方法。
【請求項１０】
アルコールベースの洗浄液が、更に親水性高分子を含む、請求項８に記載の方法。
【請求項１１】
親水性高分子が、ポリエチレングリコール高分子である、請求項１０に記載の方法。
【請求項１２】
水ベースの溶出液が緩衝液を含む、請求項１に記載の方法。
【請求項１３】
水ベースの溶出液が、ＤＮアーゼフリー及び／又はＲＮアーゼフリーの水を含む、請求項１に記載の方法。
【請求項１４】
非混和性流体洗浄液、水ベースの溶出液及び非混和性流体押圧液を含んでなる試薬キット。
【請求項１５】
更にアルコールベースの洗浄液を含んでなる、請求項１４に記載の試薬キット。
【手続補正書】
【提出日】平成30年4月3日(2018.4.3)
【手続補正１】
【補正対象書類名】特許請求の範囲
【補正対象項目名】全文
【補正方法】変更
【補正の内容】
【特許請求の範囲】
【請求項１】
ヒトの結腸から糞便排泄物を排出するためのチャネルであって、
遠位端を前記結腸の遠位端まで挿入するようにサイズ決めされ、少なくとも第１のローブおよび第２のローブを含むローブ付横断面を有するルーメンと、
前記第１のローブの横断面の最も広い範囲および前記第２のローブの横断面の最も広い範囲よりも狭い少なくとも１つのスロットを含む、前記第１および第２のローブの間の通路とを含み、
前記第１のローブが、前記第２のローブの横断面積よりも少なくとも４倍大きい横断面積を有する、チャネル。
【請求項２】
前記第１のローブおよび第２のローブの間の流体の通過は、前記スロットに沿って延びる一方弁部材によりゲート制御される、請求項１に記載の排泄物排出チャネル。
【請求項３】
前記スロットの近位端まで延びるが、前記スロットの遠位端の少なくとも１ｃｍ手前で終端するフラップを、前記弁部材が含む、請求項２に記載の排泄物排出チャネル。
【請求項４】
前記弁部材は、前記第１のローブからの圧力下で前記第２のローブ内への流体の通過に対し、同等の逆の圧力下で前記第２のローブから前記第１のローブへの流体の通過に抵抗するよりも大きく抵抗する、請求項２および３のいずれか一項に記載の排泄物排出チャネル。
【請求項５】
前記チャネルは、前記ルーメン内で周囲圧力よりも少なくとも０．２Ａｔｍ低い差圧を加えることにより潰れに抵抗するように構成された壁によって囲まれる、請求項１から４のいずれか一項に記載の排泄物排出チャネル。
【請求項６】
前記ルーメンの前記遠位端での前記ルーメン内への外部とのアクセスは、少なくとも１つの取入開口を通して行われ、
前記少なくとも１つの開口は、複数の異なるサイズの中から設定変更可能である、請求項１から５のいずれか一項に記載の排泄物排出チャネル。
【請求項７】
前記開口のサイズは、前記ルーメンが前記結腸内に挿入される間に調節することにより設定変更可能である、請求項６に記載のチャネル。
【請求項８】
前記開口の前記サイズは、前記チャネルの前記遠位端で圧力を調節することにより設定変更可能である、請求項７に記載のチャネル。
【請求項９】
前記チャネルは、糞便内容物を結腸部分から排出し、元の前記結腸部分の糞便内容物の少なくとも２％は前記結腸内に残る、請求項６、７および８のいずれか一項に記載のチャネル。
【請求項１０】
残っている前記糞便内容物の少なくとも２０％は所定のサイズを超える粒子を含む、請求項９に記載のチャネル。
【請求項１１】
前記糞便内容物の排出は排出ルーメンの前記取入開口の少なくとも１つを通して行われ、前記排出ルーメンから前記粒子を除外することにより前記所定のサイズは決定され、前記所定のサイズは前記少なくとも１つの取入開口のうちの最大のものよりも小さい、請求項１０に記載のチャネル。
【請求項１２】
前記第２のローブへの流体のアクセスは、前記スロットを通してのみ行われる、請求項１および６のいずれか一項に記載の排泄物排出チャネル。
【請求項１３】
前記スロットは、前記第２のローブのルーメンの寸法に対して少なくとも１の寸法がより小さいサイズの粒子に、前記第２のローブへの進入を制限するように構成されている、請求項１および６のいずれか一項に記載の排泄物排出チャネル。
【請求項１４】
前記弁の開放端は、前記第１のローブおよび前記第２のローブの圧力を均等化する入口を提供する、請求項３に記載の排泄物排出チャネル。
【請求項１５】
前記第２のローブは、少なくとも１つの溝を含む、請求項１から１４のいずれか一項に記載の排泄物排出チャネル。
【手続補正書】
【提出日】平成30年4月2日(2018.4.2)
【手続補正１】
【補正対象書類名】特許請求の範囲
【補正対象項目名】全文
【補正方法】変更
【補正の内容】
【特許請求の範囲】
【請求項１】
骨折した骨を安定させるためのツール（１０）であって、
バレル（２４）、ハンドル（１６）及びモード選択リング（３２）を含む本体部（３１）であって、前記モード選択リング（３２）が前記バレル（２４）の周りで回転可能であり且つ準備完了モード位置（１２０）と、組立モード位置（１１８）と、深さモード位置（１１６）との間で切り替えるように構成される、本体部と、
マガジンヘッド（６０）、前記マガジンヘッドから延びるマガジンノーズ（５８）及び複数の通路（９８）を有するマガジンであって、前記複数の通路（９８）の１つ又はそれ以上の通路が骨ピン（６２）を受け入れるように構成される、マガジン（５６）と、
前記マガジン（５６）を受け入れるように構成されたマガジンホルダ（２６）と、
前記マガジンホルダ（２６）の一部分を受け入れるように構成された開口部を画定するカラー（２２）と、
ヘッド（６６）、前記ヘッドから延びるシャフト（６８）及び前記シャフト（６８）に結合された突起部（７０）を有するピストン（６４）であって、前記突起部（７０）が、前記複数の通路の第１通路（９８）内に受け入れられるように構成される、ピストンと、
前記本体部（３１）に結合されたトリガ（１８）であって、前記トリガが起動されたとき、前記ピストン（６４）が前記骨ピン（６２）を前記第１通路（９８）から軸方向に打ち込むのに充分な力を前記骨ピン（６２）に加えるように構成される、トリガと、
前記バレル（２４）に沿って位置付けられる深さセレクタ（３０）と、を備え、前記モード選択リング（３２）が前記深さモード位置にあるとき、前記深さセレクタ（３０）が、前記第１通路（９８）から軸方向に打ち込まれる前記骨ピンの長さを調節するために前記バレルの長さに沿って移動するように構成される、
ツール。
【請求項２】
前記モード選択リング（３２）が前記組立モード位置（１１８）にあるときに前記マガジンホルダ（２６）が前記本体部（３１）に解除可能に結合されるように構成され、且つ、前記モード選択リング（３２）が前記準備完了モード位置（１２０）にあるときに前記トリガ（１８）が起動されるように構成される、請求項１に記載のツール（１０）。
【請求項３】
前記モード選択リング（３２）が前記準備完了モード位置（１２０）にあるとき、前記マガジンホルダ（２６）が前記本体部（３１）にロックされる、請求項１又は２に記載のツール（１０）。
【請求項４】
前記モード選択リング（３２）が前記組立モード位置（１１８）にあるときに前記トリガ（１８）が初期位置にロックされる、請求項１〜３のいずれか一項に記載のツール（１０）。
【請求項５】
前記モード選択リング（３２）が前記深さモード位置（１１６）にあるとき、前記トリガ（１８）が初期位置にロックされ且つ前記マガジンホルダ（２６）が前記本体部（３１）にロックされ、前記モード選択リング（３２）が前記準備完了モード位置（１２０）にあるとき、前記深さセレクタ（３０）が前記バレル（２４）に沿った位置にロックされ且つ前記マガジンホルダ（２６）が前記本体部（３１）にロックされ、前記モード選択リング（３２）が前記組立モード位置（１１８）にあるとき、前記深さセレクタ（３０）が前記バレル（２４）に沿った位置にロックされ且つ前記トリガ（１８）が前記初期位置にロックされる、請求項１〜４のいずれか一項に記載のツール（１０）。
【請求項６】
更に、
前記本体部（３１）内に配置された前進歯止め（８６）であって、前記前進歯止め（８６）が歯止めシャフト（９９）及び歯止めヘッド（８８）を含み、前記歯止めヘッドが前記マガジンヘッド（６０）と相互作用して、前記マガジン（５６）を回転させて前記複数の通路（９８）の第２通路（９８）を前記突起部（７０）と整列させるように構成される、前進歯止めと、
を備える、請求項１〜５のいずれか一項に記載のツール（１０）。
【請求項７】
前記マガジンヘッド（６０）が複数のフィン（５７）を含み、前記複数のフィン（５７）の各フィンが前記マガジン（５６）の長手軸に対して傾斜した表面（５５，４５）を有し、前記傾斜した表面（５５，４５）が前記歯止めヘッド（８８）と相互作用して、前記マガジン（５６）を回転させるように構成される、請求項６に記載のツール（１０）。
【請求項８】
前記複数のフィン（５７）の第１部分が前記マガジンヘッド（６０）の周りで円周上に離間してフィンの近位列（６１Ｂ）に配列され、前記複数のフィン（５７）の第２部分が前記マガジンヘッド（６０）の周りで円周上に離間してフィンの遠位列（６１Ａ）に配列され、前記複数のフィンの前記第１部分が前記複数のフィンの前記第２部分から円周上でオフセットする、請求項７に記載のツール（１０）。
【請求項９】
前記歯止めヘッド（８８）が、前記前進歯止め（８６）の長手軸に対して少なくとも２つの傾斜した表面（１０２Ａ，１０２Ｂ）を含む形状を有し、前記歯止めヘッドの２つの傾斜した表面（１０２Ａ，１０２Ｂ）が前記複数のフィン（５７）の１つ又はそれ以上の傾斜した表面（５５，４５）と係合して前記マガジン（５６）を回転させるように構成される、請求項８に記載のツール（１０）。
【請求項１０】
前記トリガ（１８）が、初期位置と、最終位置と、前記初期位置と前記最終位置との間に位置する中間位置とを有し、前記トリガ（１８）が前記初期位置から前記中間位置へ起動されると前記ピストン（６４）が前記第１通路（９８）から軸方向に前記骨ピン（６２）を打ち込むように構成され、且つ、前記トリガ（１８）が前記中間位置から前記最終位置へ起動されると前記歯止めヘッド（８８）が前記マガジンヘッド（６０）と相互作用して前記マガジン（５６）を回転させて前記第２通路（９８）を前記突起部（７０）と整列させるように構成される、請求項６〜９のいずれか一項に記載のツール（１０）。
【請求項１１】
前記マガジンホルダ（２６）は、前記マガジン（５６）が前記マガジンホルダ（２６）内で回転したときに前記ピストン（６４）の前記突起部（７０）と整列して前記骨ピン（６２）を切り落とすように構成されるトリミング孔（３６）を画定するトリミング端部（３３）を含む、請求項６〜１０のいずれか一項に記載のツール（１０）。
【請求項１２】
前記トリミング孔（３６）が、湾曲表面（１０４）を含むブレークエッジ（１０５）と、エッジ（１０７）を形成する２つの直線表面（１０６，１０８）を含む面取り表面を有するレリーフエッジ（１０９）とを含む、請求項１１に記載のツール（１０）。
【請求項１３】
更に、前記本体部（３１）及び前記マガジン（５６）に対して前記ピストン（６４）を軸方向に並進させるために空気力を前記ピストンの前記ヘッド（６６）に供給するための与圧ガス源（４２）を含む、請求項１〜１２のいずれか一項に記載のツール（１０）。
【手続補正書】
【提出日】平成30年3月7日(2018.3.7)
【手続補正１】
【補正対象書類名】特許請求の範囲
【補正対象項目名】全文
【補正方法】変更
【補正の内容】
【特許請求の範囲】
【請求項１】
自動構成検出のためのシステムであって、
センサを含む医療装置と、
前記医療装置の一部にコード化されるパターンであって、前記装置についての関連情報を記憶するように構成されるパターンと、
前記センサを含む医療装置についての状態、識別、若しくは使用方法の少なくとも一つを決定するために前記関連情報を伝えるために前記パターンを読み取るように構成される、コネクタに結合されるリーダ装置と
を有する、システム。
【請求項２】
前記センサが超音波センサを含み、前記コネクタが前記超音波センサを超音波イメージング装置へ接続する、請求項１に記載のシステム。
【請求項３】
前記リーダがカメラ若しくはスキャナの少なくとも一つを含み、前記パターンがバーコードを含む、請求項１に記載のシステム。
【請求項４】
前記リーダがカメラを含み、前記パターンがカラーコーディングスキームを含む、請求項１に記載のシステム。
【請求項５】
前記リーダが導線を含み、前記パターンが前記導線によって連絡可能な導電性材料を含む、請求項１に記載のシステム。
【請求項６】
前記パターンが機械的特徴を含み、前記リーダが光学センサ若しくは機械的プローブの少なくとも一つを含む、請求項１に記載のシステム。
【請求項７】
前記医療装置が針を含み、前記医療装置の一部が前記針のハブ上若しくはシャフト上に位置する、請求項１に記載のシステム。
【請求項８】
前記医療装置についての状態、識別、若しくは使用方法の少なくとも一つが、装置のタイプ、装置のシリアルナンバー、装置の幾何学的構成、装置の有効期限、装置と使用するイメージングモード、若しくはセンサに対するキャリブレーションデータ、の一つ以上を含む、請求項１に記載のシステム。
【請求項９】
前記装置を識別するとアラート若しくはアクションがトリガされるように、装置の再利用情報、装置に対する画像設定、若しくは装置と関連するキャリブレーションデータのうち少なくとも一つを記憶するように構成されるメモリ構造をさらに有する、請求項１に記載のシステム。
【請求項１０】
前記パターンがエラーコード訂正のための冗長データを含む、請求項１に記載のシステム。
【請求項１１】
自動構成検出のためのシステムであって、
超音波センサがその上に配置された針と、
前記超音波センサを超音波イメージング装置へ結合するように構成されるコネクタと、
前記針の一部にコード化されるパターンであって、前記針についての関連情報を記憶するように構成されるパターンと、
前記パターンを読み取って前記関連情報を前記イメージング装置へ伝えるように構成される、前記コネクタに結合されるリーダ装置であって、前記関連情報は前記針及び／又はセンサの状態、識別、若しくは使用方法のうち一つを含む、リーダ装置と
を有する、システム。
【請求項１２】
前記リーダが、カメラ若しくはスキャナであり前記パターンがバーコードを含むか、カメラであり前記パターンがカラーコーディングスキームを含むか、導線であり前記パターンが前記導線によって連絡可能な導電性材料を含むか、或いは光学センサ若しくは機械的プローブのうち一つであり前記パターンが機械的特徴を含むこと、のうち少なくとも一つを含む、請求項１１に記載のシステム。
【請求項１３】
前記パターンが前記針のハブ上若しくはシャフト上に位置する、請求項１１に記載のシステム。
【請求項１４】
前記針についての状態、識別、若しくは使用方法が、装置のタイプ、装置のシリアルナンバー、装置の幾何学的構成、装置の有効期限、装置と使用するイメージングモード、又はセンサに対するキャリブレーションデータ、のうち一つ以上を含む、請求項１１に記載のシステム。
【請求項１５】
自動構成検出のための方法であって、
医療装置の一部にコード化されるパターンを適用するステップであって、前記パターンは前記装置についての関連情報を記憶するように構成され、前記医療装置は超音波センサを含む、ステップと、
前記医療装置及び／又は前記センサについての状態、識別、若しくは使用方法のうち一つを決定するために前記関連情報をイメージング装置へ伝えるために、前記センサに接続するコネクタに結合されるリーダ装置によって前記パターンを読み取るステップと、
前記関連情報に基づいてアラート若しくはアクションをトリガするステップと
を有する、方法。
【手続補正書】
【提出日】平成30年1月29日(2018.1.29)
【手続補正１】
【補正対象書類名】特許請求の範囲
【補正対象項目名】全文
【補正方法】変更
【補正の内容】
【特許請求の範囲】
【請求項１】
超音波プローブとインタフェースする第１のコネクタと、
超音波コンソールとインタフェースする第２のコネクタと、
前記第１のコネクタを前記第２のコネクタに接続するラインアレイと、
前記ラインアレイの１又は複数のライン上の信号に応じて、フレームトリガ信号を生成するフレームパルス生成器と、
前記ラインアレイ上のライン信号に応じてライントリガ信号を生成するラインパルス生成器と、
前記フレームトリガ信号を出力する外部フレームトリガ信号出力と、
前記ライントリガ信号を出力する外部ライントリガ信号出力と、
を有するアダプタ装置。
【請求項２】
前記第１のコネクタ及び前記第２のコネクタの少なくとも一方が、他の信号プロトコルとのインタフェース互換性を可能にする信号コンバータを有する、請求項１に記載のアダプタ装置。
【請求項３】
前記第１のコネクタ及び前記第２のコネクタの少なくとも一方が、ワイヤレスリンクを有する、請求項１に記載のアダプタ装置。
【請求項４】
前記外部フレームトリガ信号出力及び前記外部ライントリガ信号出力が、ワイヤレスリンクを有する、請求項１に記載のアダプタ装置。
【請求項５】
前記第１のコネクタを前記第２のコネクタに接続する前記ラインアレイは、前記プローブと前記コンソールとの間の直接的な接続を維持する、請求項１に記載のアダプタ装置。
【請求項６】
前記フレームパルス生成器又は前記ラインパルス生成器が前記ライントリガ信号及び前記フレームトリガ信号をそれぞれ出力することを可能にするために、前記プローブからのトランスデューサ信号遅延を期待される遅延と比較する遅延プログラムを更に有する、請求項１に記載のアダプタ装置。
【請求項７】
前記アダプタ装置のオンボード素子に電力供給する電源を更に有する、請求項１に記載のアダプタ装置。
【請求項８】
前記プローブからの入力信号を処理する処理ユニットを更に有する、請求項１に記載のアダプタ装置。
【請求項９】
前記処理ユニットは、前記入力信号を符号化する処理、前記入力信号を復号化する処理、前記入力信号を多重化し又はルーチングする処理、及び前記入力信号に対する計算を実施する処理のうち少なくとも１つを実行する、請求項８に記載のアダプタ装置。
【請求項１０】
前記アダプタ装置に結合されるライン又はケーブル上の電流を検出し、前記検出された電流に基づいて前記ライントリガ信号又は前記フレームトリガ信号を評価するラインセンサを更に有する、請求項１に記載のアダプタ装置。
【手続補正書】
【提出日】平成30年1月29日(2018.1.29)
【手続補正１】
【補正対象書類名】特許請求の範囲
【補正対象項目名】全文
【補正方法】変更
【補正の内容】
【特許請求の範囲】
【請求項１】
細長い本体と、
前記細長い本体に沿った複数の長手方向の位置において、前記細長い本体上に共形的に形成される複数のセンサであって、イメージングシステムからの検出されるエネルギーに従って信号を生成する、複数のセンサと、
前記複数のセンサの各々に接続する単一の電気トレースであって、前記複数のセンサが、前記細長い本体に沿ってセンサアレイを形成するように並列に接続される、電気トレースと、
を有し、前記複数のセンサが、３又はそれより多くのセンサを有し、前記３又はそれより多くのセンサは、隣り合うセンサから間隙おいて配されており、各間隙は、どのセンサが測定信号を受信したかを計算することを支援する距離を有する、医療デバイス。
【請求項２】
前記複数のセンサは圧電ポリマセンサを有する、請求項１に記載の医療デバイス。
【請求項３】
前記複数のセンサは、前記医療デバイスの外周の少なくとも一部の周りに共形的に形成される、請求項１に記載の医療デバイス。
【請求項４】
誘電材料上の前記電気トレース上に形成される導電性シールドを更に有する、請求項１に記載の医療デバイス。
【請求項５】
前記導電性シールドは、前記複数のセンサのための共通電極を形成する、請求項４に記載の医療デバイス。
【請求項６】
前記細長い本体はニードルを有し、前記ニードルは、前記複数のセンサ用の電極を形成する、請求項１に記載の医療デバイス。
【請求項７】
前記電気トレースは、ハブ接点に接続し、前記ハブ接点は、前記複数のセンサからの信号を処理し測定するための電子回路に接続する電気接点を提供する、請求項１に記載の医療デバイス。
【請求項８】
前記電気トレースは、導電性インク又は堆積層の１つを有する、請求項１に記載の医療デバイス。
【請求項９】
隣り合う前記センサ間の間隙は長さが均等でない、請求項１に記載の医療デバイス。
【請求項１０】
請求項１に記載の医療デバイスにおいて受信信号を処理する方法であって、
イメージングシステムによって前記医療デバイスの或る位置に信号を生成するステップと、
前記３又はそれより多くのセンサによって前記信号を受信するステップと、
前記３又はそれより多くのセンサ間の可変の間隔及びそれらの幾何学的な位置を用いてどのセンサがどの信号を受信したかを判定することによって、前記３又はそれより多くのセンサによって受信された信号を分離するステップと、
を有する方法。
【請求項１１】
前記３又はそれより多くのセンサ間の可変の間隔及びそれらの幾何学的な位置が、信号にそれぞれ異なる遅延を提供し、異なる遅延からセンサが決定される、請求項１０に記載の方法。
【請求項１２】
前記細長い本体はニードルを含み、前記ニードルの挿入された距離は、どのセンサがどの信号を受信したかを判定するために用いられる、請求項１１に記載の方法。
【手続補正書】
【提出日】平成30年3月20日(2018.3.20)
【手続補正１】
【補正対象書類名】特許請求の範囲
【補正対象項目名】全文
【補正方法】変更
【補正の内容】
【特許請求の範囲】
【請求項１】
患者にある圧力でガスを提供するように構成された流れ発生器と、
前記圧力で前記ガスを前記患者に提供するように構成されたユーザインタフェースと、
前記流れ発生器から前記ユーザインタフェースへの前記ガス用の経路を提供する導管と、
前記患者の呼吸を測定するように構成されたセンサと、
制御システムであって、
少なくとも部分的に、前記センサによって収集されるデータの分析に基づいて、睡眠呼吸障害を検出し、
少なくとも部分的に、前記センサによって収集されるデータの分析に基づいて、前記患者の睡眠状態を判定し、
前記睡眠状態が睡眠中であると判定された場合に、低圧と高圧との間の圧力を提供するように、前記流れ発生器を制御し、前記圧力が、少なくとも部分的に、睡眠呼吸障害が検出されたか否かに基づいて、提供され、
前記睡眠状態が覚醒中であると判定された場合に、前記低圧とは異なる覚醒圧を提供するように前記流れ発生器を制御し、前記覚醒圧は、前記低圧より低く、該覚醒圧はユーザによって選択される
ように構成された制御システムと、
を備える気道陽圧システム。
【請求項２】
前記覚醒圧が治療圧である、請求項１に記載の気道陽圧システム。
【請求項３】
前記コントローラが、前記流れ発生器によって提供されている圧力が前記覚醒圧であり、かつ、前記睡眠状態が睡眠中であると判定されたか、または睡眠呼吸障害が検出されたとき、第１圧力上昇・下降率で経時的に上昇する圧力を提供するように、前記流れ発生器を制御するようにさらに構成されている、請求項１または２に記載の気道陽圧システム。
【請求項４】
前記第１圧力上昇・下降率が、ユーザによって調整可能である、請求項３に記載の気道陽圧システム。
【請求項５】
前記コントローラが、前記流れ発生器によって提供されている前記圧力が、前記低圧と前記高圧との間にあり、かつ前記睡眠状態が覚醒中であると判定されたとき、第２圧力上昇・下降率で経時的に低下する圧力を提供するように、前記流れ発生器を制御するようにさらに構成されている、請求項１〜４のいずれか一項に記載の気道陽圧システム。
【請求項６】
前記第２圧力上昇・下降率が、ユーザによって調整可能である、請求項５に記載の気道陽圧システム。
【請求項７】
前記低圧および前記高圧が、ユーザによって調整可能である、請求項１〜６のいずれか一項に記載の気道陽圧システム。
【請求項８】
前記センサが、流量センサ、圧力センサ、音センサ、モーションセンサまたはプレチスモグラフのうちの１つである、請求項３〜７のいずれか一項に記載の気道陽圧システム。
【請求項９】
患者に気道陽圧療法を提供する方法であって、
使用者から入力を受け取って覚醒圧を設定するステップと、
睡眠呼吸障害の存在を検出するステップと、
前記患者の睡眠状態を判定するステップと、
前記睡眠状態が睡眠中であると判定された場合、低睡眠圧と高睡眠圧との間で調整される睡眠圧を有するガスを送達するステップであって、前記睡眠圧が、少なくとも部分的に、睡眠呼吸障害の存在によって決まる、ステップと、
前記睡眠状態が覚醒中であると判定された場合、前記覚醒圧を有するガスを送達するステップであって、前記覚醒圧が低睡眠圧より低い、ステップと、
を含む方法。
【請求項１０】
前記覚醒圧が治療圧である、請求項９に記載の方法。
【請求項１１】
送達されている前記圧力が前記覚醒圧であり、かつ前記睡眠状態が睡眠中であると判定されるか、または睡眠呼吸障害が検出されたとき、送達される前記ガスの圧力を第１上昇・下降率で上昇させるステップをさらに含む、請求項９または１０に記載の方法。
【請求項１２】
ユーザから入力を受け取って前記第１上昇・下降率を設定するステップをさらに含む、請求項１１に記載の方法。
【請求項１３】
送達されている前記圧力が前記低睡眠圧と前記高睡眠圧との間であり、かつ前記睡眠状態が覚醒中であると判定されたとき、送達される前記ガスの圧力を第２上昇・下降率で低下させるステップをさらに含む、請求項９〜１２のいずれか一項に記載の方法。
【請求項１４】
ユーザから入力を受け取って前記第２上昇・下降率を設定するステップをさらに含む、請求項１３に記載の方法。
【請求項１５】
ユーザから入力を受け取って、前記低睡眠圧および前記高睡眠圧を設定するステップをさらに含む、請求項９〜１４のいずれか一項に記載の方法。
【請求項１６】
睡眠呼吸障害の存在を検出することは、前記センサからの値を分析することを含み、前記センサは、流量センサ、圧力センサ、音センサ、モーションセンサまたはプレチスモグラフのうちの少なくとも１つを含む、請求項９〜１５のいずれか一項に記載の方法。
【請求項１７】
気道陽圧装置の制御システムに通信可能に結合されたユーザインタフェースであって、
覚醒圧を示す覚醒圧データを受け取るように構成された覚醒圧ノードと、
圧力範囲の下限を示す下限データを受け取るように構成された低圧ノードと、
前記圧力範囲の上限を示す上限データを受け取るように構成された高圧ノードと、
を備え、
前記ユーザインタフェースが、前記覚醒圧、前記圧力範囲の前記下限および前記圧力範囲の前記上限を前記制御システムに通信し、
前記制御システムが、睡眠状態が覚醒中であると判定された場合、前記覚醒圧を有する呼吸ガスを供給するように、前記気道陽圧装置を制御し、前記覚醒圧が前記圧力範囲の前記下限未満である、ユーザインタフェース。
【請求項１８】
圧力上昇・下降率を示す上昇・下降率データを受け取るように構成された上昇・下降率ノードをさらに備える、請求項１７に記載のユーザインタフェース。
【請求項１９】
前記制御システムが、前記覚醒圧の提供から前記圧力上昇・下降率で前記圧力範囲内の圧力に遷移する、請求項１８に記載のユーザインタフェース。
【手続補正書】
【提出日】平成30年3月26日(2018.3.26)
【手続補正１】
【補正対象書類名】特許請求の範囲
【補正対象項目名】全文
【補正方法】変更
【補正の内容】
【特許請求の範囲】
【請求項１】
患者の腎臓に配置されるように構成された腎セクション、前記腎セクションに接続されかつ前記患者の尿管に配置されるように構成された尿管セクション、および前記尿管セクションに接続された近位セクションを有する、本体部であって、前記近位セクションが前記尿管セクションから離れて前記本体部の近位端に位置する自由端まで延在する、本体部と、
ステントの前記本体部に接続された糸を含む尾部と、
を含む、尿管ステントであって、
前記近位セクションはチューブ状であり、
前記近位セクションが第１の材料と前記第１の材料より高い可撓性の第２の材料とで形成され、前記尿管セクションが前記第１の材料から形成され、前記第１の材料が前記ステントの前記近位セクションの前記自由端の方向において前記高い可撓性の第２の材料によって次第に置換されるように、前記近位セクションの前記第１の材料の厚さが前記尿管セクションから前記自由端に向かう方向において薄くなり、前記近位セクションの前記第２の材料の厚さが前記尿管セクションから前記自由端に向かう方向において増す、
尿管ステント。
【請求項２】
前記ステントの前記近位セクションが一定の厚さの外側壁に画定された一定の直径の長手方向のチャンネルを有する、請求項１に記載の尿管ステント。
【請求項３】
前記近位セクションが貫通開口部を含む、請求項１に記載の尿管ステント。
【請求項４】
前記貫通開口部がスリット又は孔である、請求項３に記載の尿管ステント。
【請求項５】
前記スリットが前記近位セクションの長手方向又は横断方向に延在する、請求項４に記載の尿管ステント。
【請求項６】
前記近位セクションが円錐状の内側凹部を有し、前記近位セクションの外側壁の厚さが前記ステントの前記尾部に向かって薄くなる、請求項１に記載の尿管ステント。
【請求項７】
前記近位セクションが螺旋形状として構成される、請求項１に記載の尿管ステント。
【請求項８】
前記近位セクションが前記外側壁の厚さ部分に形成された長手方向凹部を含む、請求項６に記載の尿管ステント。
【請求項９】
前記近位セクションがスリット付きの環状断面を有する、請求項１に記載の尿管ステント。
【請求項１０】
前記尾部が前記近位セクション又は前記尿管セクションと一体である、請求項１に記載の尿管ステント。
【請求項１１】
前記近位セクションにおける前記ステントの本体部分の可撓性の係数が、２００Ｎ  ｍｍ2以下である、請求項１に記載の尿管ステント。
【請求項１２】
前記尾部が前記本体部の前記近位端に接続される、請求項１に記載の尿管ステント。
【請求項１３】
前記近位セクションの長さに沿った前記第１の材料および前記第２の材料の総厚が一定である、請求項１に記載の尿管ステント。
【手続補正書】
【提出日】平成30年2月16日(2018.2.16)
【手続補正１】
【補正対象書類名】特許請求の範囲
【補正対象項目名】全文
【補正方法】変更
【補正の内容】
【特許請求の範囲】
【請求項１】
瘻の成熟を評価するためのシステムであって：
センサを有するとともに患者の血管のなかに挿入されるように構成される検知ガイドワイヤであって、前記血管は、前記血管及び隣接する血管の間に流体連通を提供する瘻を有する、検知ガイドワイヤ；及び
前記検知ガイドワイヤと通信可能にリンクされるコンピュータであって、前記センサからの測定値を受信するように、前記瘻を通る血流の観察される速度を決定するために前記測定値を使用するように、及び前記瘻が成熟しているかどうかを決定するために決定された前記血流の観察される速度を使用するように、動作可能である、コンピュータ；を有する、
システム。
【請求項２】
前記検知ガイドワイヤの上に摺動可能に配置され、前記瘻に治療を施すように構成されるカテーテルをさらに有する、
請求項１に記載のシステム。
【請求項３】
前記検知ガイドワイヤは、超音波トランスデューサ及びモジュラ接続プラグを有する、
請求項１に記載のシステム。
【請求項４】
前記検知ガイドワイヤは、０．０３５インチ以下の直径を有する、
請求項１に記載のシステム。
【請求項５】
前記瘻が成熟しているかどうかを決定することは、前記観察される速度を標準と比較することを含む、
請求項１に記載のシステム。
【請求項６】
６００ｍＬ／ｍｉｎ以上の前記観察される速度は、前記瘻が成熟していることを示す、
請求項１に記載のシステム。
【請求項７】
前記センサは、圧力センサを有する、
請求項１に記載のシステム。
【請求項８】
前記コンピュータは、メモリにプログラムを有し、前記プログラムは、前記血流の前記観察される速度に基づいて前記瘻の成熟に関する情報を前記コンピュータに提供させるように実行可能な指令を含む、
請求項１に記載のシステム。
【請求項９】
前記検知ガイドワイヤは、長さ１１０ｃｍ未満であり、補剛材料を有する、
請求項１に記載のシステム。
【請求項１０】
前記検知ガイドワイヤは、少なくとも１５ＧＰａの曲げ弾性率を有する、
請求項９に記載のシステム。
【請求項１１】
前記検知ガイドワイヤは、少なくとも５０ＧＰａの曲げ弾性率を有する、
請求項９に記載のシステム。